(57)【要約】      （修正有）【課題】必要に応じて簡単に組み立てたり畳んだりでき、調理場でもカウンターでも必要に応じた形態で便利に使える保温ボックスを提供する。【解決手段】保温ボックス１００は、上面部１１０Ｂと、下面部１１０Ａと、壁部１５０と、を有し、組み立てるとボックス型になる。上面部および下面部は、偏平長方形である平板部１２０Ａと、平板部の縁に設けられたガイド部１３０Ａと、を有する。ガイド部は、断面コ字状の長溝であって、平板部の４辺のうち両短辺と一の長辺とに取り付けられている。壁部は、複数枚の壁板１５１で構成され、壁板は、ガイド部に着脱可能である。上面部および下面部において、ガイド部の内側に画成されるスペースを収納スペースとする。壁板を収納スペースに並べた状態で上面部と下面部とで挟み込むと、全体として一つのコンパクト形態になる。【選択図】図１
0003205734.tif 000002
【実用新案登録請求の範囲】
【請求項１】
上面部と、下面部と、壁部と、を有し、組み立てるとボックス型になる保温ボックスであって、
前記上面部および前記下面部は、
偏平長方形である平板部と、前記平板部の縁に設けられたガイド部と、を有し、
前記ガイド部は、断面コ字状の長溝であって、前記平板部の４辺のうち両短辺と一の長辺とに取り付けられており、
前記壁部は、複数枚の壁板で構成され、
前記壁板は、ガイド部に着脱可能である
であることを特徴とする保温ボックス。
【請求項２】
請求項１に記載の保温ボックスにおいて、
前記壁部は、ｋ枚の前記壁板で構成されていて、前記ｋ枚の壁板のうちで（ｋ−１）枚は同じサイズであり、
前記上面部および前記下面部において、前記ガイド部の内側に画成されるスペースを収納スペースとするとき、
前記収納スペースの横幅をＷとし、前記同じサイズの前記壁板の高さをＨとするとき、
Ｗ＝Ｈ×（ｋ−１）であり、
前記（ｋ−１）枚の壁板を前記収納スペースに並べた状態で前記上面部と前記下面部とで挟み込み、このとき前記上面部の前記ガイド部と前記下面部のガイド部とが互いの溝にはまり合い、全体として一つのコンパクト形態になる
ことを特徴とする保温ボックス。
【請求項３】
請求項２に記載の保温ボックスにおいて、
当該保温ボックスの奥側の壁を構成する前記壁板を一枚だけにした状態のとき、この壁板が前記ガイド部をレールとしてスライドすることでスライド板となる
ことを特徴とする保温ボックス。
【請求項４】
請求項１に記載の保温ボックスにおいて、
前記壁部は同じサイズのｋ枚の前記壁板で構成されていて、
前記上面部および前記下面部において、前記ガイド部の内側に画成されるスペースを収納スペースとするとき、
前記収納スペースの横幅をＷとし、前記同じサイズの壁板の高さをＨとするとき、
Ｗ＝Ｈ×ｋであり、
前記ｋ枚の壁板を前記収納スペースに並べた状態で前記上面部と前記下面部とで挟み込み、このとき前記上面部の前記ガイド部と前記下面部のガイド部とが互いの溝にはまり合い、全体として一つのコンパクト形態になる
ことを特徴とする保温ボックス。
【考案の詳細な説明】
【技術分野】
【０００１】
本考案は保温ボックスに関し、例えば、調理済みの食品を適切に保温する保温ボックスに関する。
【背景技術】
【０００２】
お弁当屋さんや食堂、レストランなどでは調理した食品をお客に提供するにあたり、作った料理を一旦カウンターなどの棚に置いて並べ、その後、順次お客に提供するということが行われる。例えばお弁当屋さんでは、注文を受けた弁当をレジ横のカウンターに並べておき、整理券と引き替えにお客が自分の弁当を持っていくシステムが採用される。
【０００３】
社員食堂などでは調理した料理をたくさん棚に並べておいて、従業員が自分のトレーに好きな皿を取っていくというシステムが取られる。これはビュッフェスタイルのレストランでも同じことである。
【０００４】
レストランにおいても、調理担当者が作った料理の皿がカウンターに一旦並べられ、その後ウエイターがお客のテーブルに順次運んでいくということになる。
【先行技術文献】
【特許文献】
【０００５】
【特許文献１】特開２００４−１６８３６１号公報
【考案の概要】
【考案が解決しようとする課題】
【０００６】
お昼どきにはお客さんが大挙して訪れることになる。大量の注文をスピーディにさばくため、店側としてはある程度の注文数を見込んで先に調理を済ませておくという対応策を取りたい。
しかしながら、調理済みの食品をカウンターに並べておくとお客の手に渡るまでに食品の温度がどんどん下がってしまい、冷めてしまうことになる。そこで、電子レンジで温めなおしたり、あるいは冷めないように断熱性の保温ボックスや大がかりな恒温器に入れておいたりすることになる。
【０００７】
調理済みの食品を保温ボックスや恒温器に入れておくのはよい方法なのであるが、当然のことながら保温ボックスというのはかなりの設置スペースを要する。例えば、調理場に保温ボックスを一つ置き、カウンターにも保温ボックスを一つ置き、などとしていると、小さな店舗スペースはボックスだらけになってしまって現実的ではない。
【０００８】
できることならば、必要に応じて簡単に組み立てたり畳んだりでき、調理場でもカウンターでも必要に応じた形態で便利に使える保温ボックスがあれば大変に便利である。
【課題を解決するための手段】
【０００９】
本考案の保温ボックスは、
上面部と、下面部と、壁部と、を有し、組み立てるとボックス型になる保温ボックスであって、
前記上面部および前記下面部は、
偏平長方形である平板部と、前記平板部の縁に設けられたガイド部と、を有し、
前記ガイド部は、断面コ字状の長溝であって、前記平板部の４辺のうち両短辺と一の長辺とに取り付けられており、
前記壁部は、複数枚の壁板で構成され、
前記壁板は、ガイド部に着脱可能である
であることを特徴とする。
【００１０】
本考案では、
前記壁部は、ｋ枚の前記壁板で構成されていて、前記ｋ枚の壁板のうちで（ｋ−１）枚は同じサイズであり、
前記上面部および前記下面部において、前記ガイド部の内側に画成されるスペースを収納スペースとするとき、
前記収納スペースの横幅をＷとし、前記同じサイズの前記壁板の高さをＨとするとき、
Ｗ＝Ｈ×（ｋ−１）であり、
前記（ｋ−１）枚の壁板を前記収納スペースに並べた状態で前記上面部と前記下面部とで挟み込み、このとき前記上面部の前記ガイド部と前記下面部のガイド部とが互いの溝にはまり合い、全体として一つのコンパクト形態になる
ことが好ましい。
【００１１】
本考案では、
当該保温ボックスの奥側の壁を構成する前記壁板を一枚だけにした状態のとき、この壁板が前記ガイド部をレールとしてスライドすることでスライド板となる
ことが好ましい。
【００１２】
本考案では、
前記壁部は同じサイズのｋ枚の前記壁板で構成されていて、
前記上面部および前記下面部において、前記ガイド部の内側に画成されるスペースを収納スペースとするとき、
前記収納スペースの横幅をＷとし、前記同じサイズの壁板の高さをＨとするとき、
Ｗ＝Ｈ×ｋであり、
前記ｋ枚の壁板を前記収納スペースに並べた状態で前記上面部と前記下面部とで挟み込み、このとき前記上面部の前記ガイド部と前記下面部のガイド部とが互いの溝にはまり合い、全体として一つのコンパクト形態になる
ことが好ましい。
【図面の簡単な説明】
【００１３】
【図１】保温ボックスの分解図である。
【図２】保温ボックスをボックス形態に組み立てて使用している状態を例示する図である。
【図３】保温ボックスをコンパクトに畳んだ形態を例示する図である。
【図４】平板部の分解図である。
【図５】保温ボックスの各パーツの寸法を例示する図である。
【図６】４つの壁板を収納スペースに並べた状態を例示する図である。
【図７】カウンターボックス形態を例示する図である。
【図８】コンパクト形態の拡大図である。
【図９】変形例１を例示する図である。
【図１０】変形例２を例示する図である。
【図１１】変形例３を例示する図である。
【図１２】変形例４の寸法を例示する図である。
【図１３】変形例４を例示する図である。
【考案を実施するための形態】
【００１４】
（第１実施形態）
本考案の第１実施形態に係る保温ボックスを説明する。
図１は、保温ボックス１００の分解図である。
図２は、保温ボックス１００をボックス形態に組み立てて使用している状態を例示する図である。
さらに、図３は、保温ボックス１００をコンパクトに畳んだ形態を例示する図である。この図３の形態を保温ボックス１００のコンパクト形態と称することにする。
【００１５】
保温ボックス１００は、下面部１１０Ａと、上面部１１０Ｂと、壁部１５０と、を有する。
上面部１１０Ｂの構造と下面部１１０Ａの構造とは基本的には同じであり、ここでは主として下面部１１０Ａを例に構造を説明し、上面部１１０Ｂについては符号の末尾に"Ｂ"を付し、重複説明は割愛する。
下面部１１０Ａは、長方形で偏平の板である平板部１２０Ａと、平板部１２０Ａの縁に立設されたガイド部１３０Ａと、を有する。
【００１６】
平板部１２０Ａは断熱板である。
図４に平板部１２０Ａの分解図を例示する。
平板部１２０Ａは、二枚の板１２１Ａ、１２１Ａの間に断熱層を挟んだ構成である。
断熱層を形成するため、ここでは、中空の六角柱を平面的に並べたハニカム構造のコア１２２Ａを用いている。ハニカムコア１２２Ａのなかは空気でもよいし、何か断熱性のある材料を充填してももちろんよい。
保温ボックス１００の運搬性を考慮すると、軽量とする方がよく、この点で断熱材としては空気にしておくのがよい。
平板部１２０Ａの側面に化粧板１２３Ａを貼り、中のハニカムコア１２２Ａが見えないようにするとともに、強度を補強している。
【００１７】
板１２１Ａの材質としては、アルミニウムあるいはアルミニウム合金が例として挙げられるが、材質を特段に限定する必要はない。
化粧板１２３Ａの材質としては、合成樹脂が例として挙げられる。
断熱層は、ハニカム構造に限定されず、例えば、中空の円筒を並べてもよいし、発泡樹脂で構成されてもよい。
【００１８】
ガイド部１３０Ａは、断面コ字状の長溝である。
平板部１２０Ａの４辺のうち、両短辺と一の長辺とにガイド部１３０Ａが取り付けられており、残る長辺にはガイド部１３０Ａが取り付けられていない。
平板部１２０Ａの長辺に設けられたガイド部１３０Ａは、一つの長いガイド部とするのではなくて、少し隙間を空けて二つのガイド部１３０Ａ、１３０Ａを配置するようにしている。これは、製造の容易さや材料費の削減等を考慮してのことで、平板部１２０Ａの長辺に一つの長いガイド部を設けるようにしてもよい。
【００１９】
ここで、上面部１１０Ｂと下面部１１０Ａとは基本的に同じであるが、一点だけ異なっている。
下面部１１０Ａ側では、ガイド部１３０Ａの溝の底面に面ファスナー１３１Ａを貼り付けている。
【００２０】
後の説明のため、図５に、下面部１１０Ａの寸法を例示しておく。もちろん、上面部１１０Ｂの寸法は下面部１１０Ａと同じである。
平板部１２０Ａの長辺の長さは８９．４ｃｍであり、これをＷ１１と表わすことにする。
ガイド部１３０Ａの幅方向の外寸が２．２０ｃｍであり、これをＧ１１と表わす。すると、平板部１２０Ａの長辺において、両短辺にある二つのガイド部１３０Ａ、１３０Ａの間の距離は８５．０ｃｍとなる。これをＷ１２と表わすことにする。
【００２１】
平板部１２０Ａの短辺の長さは３８．２ｃｍであり、これをＤ１１と表わすことにする。
ガイド部１３０Ａの幅方向の外寸が２．２ｃｍ（＝Ｇ１１）であることから、平板部１２０Ａの短辺において、長辺にあるガイド部の幅（２．２ｃｍ（＝Ｇ１１））を除くと残りは３６．０ｃｍであり、これをＤ１２と表わすことにする。
平板部１２０Ａの短辺に設けられるガイド部１３０Ａの長さを、ここでは、３６．０ｃｍ（＝Ｄ１２）としている。
【００２２】
なお、平板部１２０Ａの厚みは２ｃｍ（＝Ｔ）とする（図１中に示した）。また、ガイド部１３０Ａの高さは、２ｃｍ以下であればよいが、ここでは、１．３ｃｍ（＝ＨＧ）とする（図１中に示した）。
【００２３】
ここで、後の説明のため、上面部１１０Ｂ（または下面部１１０Ａ）において、４つのガイド部１３０Ｂ、１３０Ａの内側に画成されるスペースを収容スペースと称することにする。
ここでは、収容スペースの横幅Ｗ１２は８５．０ｃｍであり、奥行きＤ１２は３６．０ｃｍということである。
【００２４】
次に壁部１５０を説明する。
壁部１５０は、５枚の板１５１、１５１、１５１、１５１、１５５で構成されている。
壁部１５０を構成する各板の構造は、平板部１２０Ａと同じで、断熱層（ハニカムコア１２２Ａ）を二枚のアルミニウム（またはアルミニウム合金）の板で挟んだものである。
壁部１５０を構成する５枚の板のうち、４枚は同じ大きさ（サイズ）で、残りの一枚だけが異なる大きさ（サイズ）になっている。
いま、壁部１５０を構成する５枚の板のうちで同じ大きさの４枚を壁板１５１、１５１、１５１、１５１と称する。残りの一枚も壁板なのであるが、区別するため、スライド板１５５と称することにする。
【００２５】
壁板１５１は、長方形の板であり、長辺に面ファスナー１５２が貼り付けられている。スライド板１５５には面ファスナーが貼られていない。
【００２６】
壁板１５１とスライド板１５５の大きさ（サイズ）を説明する。図５を参照されたい。
まず、壁板１５１もスライド板１５５も、その厚みはガイド部１３０Ａの溝の内寸に等しい。
ここでは、ガイド部１３０Ａの溝の内寸を２ｃｍとし、壁板１５１およびスライド板１５５の厚みも２ｃｍ（＝Ｔ）とする。
壁板１５１の長辺の長さを３６．０ｃｍとし、つまりＤ１２に等しい。つまり、４枚ある壁板１５１、１５１、１５１、１５１のどれでも保温ボックス１００の側壁として機能する。
【００２７】
次に、壁板１５１の短辺の長さを考える。
ここでは、壁板１５１の短辺の長さは２１．００ｃｍであり、これをＨ１１と表わすことにする。
注目してほしいのは、Ｈ１１とＷ１２との関係である。
いま、平板部１２０Ａの長辺において二つのガイド部１３０Ａ、１３０Ａの間の距離がＷ１２（＝８５．０ｃｍ）であった。壁板１５１の短辺の長さＨ１１は、Ｗ１２を４で割った値と同じかやや小さい。この「４」は、壁板１５１の枚数のことである。
したがって、図６に例示するように、４つの壁板１５１、１５１、１５１、１５１を収納スペースに並べることができる。壁板１５１の短辺Ｈ１１の長さをＷ１２／４よりも若干小さくしているのは、面ファスナー１５２の厚みを考慮してのことである。
【００２８】
さて、スライド板１５５の長辺の長さはＨ１１に等しくする。これは、保温ボックス１００を組み立てたときに、スライド板１５５の長辺（＝Ｈ１１）が壁板１５１の短辺（＝Ｈ１１）とともに保温ボックス１００の高さになるのであるから当然のことである。
スライド板１５５の短辺の長さを１７．００ｃｍとし、これをＤ１３と称することにする。
注目してほしいのは、壁板１５１の長辺Ｄ１２（＝３６．００ｃｍ）の二つ分とスライド板１５５の短辺Ｄ１３（＝１７．００ｃｍ）とを足すと、上面部１１０Ｂ（あるいは下面部１１０Ａ）の長辺Ｗ１１（＝８９．４ｃｍ）にほぼ等しい。
したがって、図１あるいは図２を見てわかるように、２枚の壁板１５１と一枚のスライド板１５５とで保温ボックス１００の奥側の壁を構成することができる。
【００２９】
このような構成を備える第１実施形態の利用形態を簡単に説明する。
図１の分解図の状態を参照していただければ、図２のボックス形態に組み立てられるのはご理解いただけるであろう。
下面部１１０Ａのガイド部１３０Ａに４枚の壁板１５１とスライド板１５５とを嵌め込み、それから上面部１１０Ｂを上から被せるようにして壁板１５１とスライド板１５５が上面部１１０Ｂのガイド部１３０Ｂに嵌まるようにする。
ガイド部１３０Ａと壁板１５１の長辺とには面ファスナー１３１Ａ、１５２が付いているので、下面部１１０Ａのガイド部１３０Ａに壁板１５１を立てたときにしっかりとした安定感がある。
上面部１１０Ｂを取り付けるときには下面部１１０Ａや壁板１５１から手を離しておいてもよいので、保温ボックス１００の組み立ては一人でできる。
【００３０】
ちなみに、本実施形態では着脱自在の取付け手段である面ファスナー１３１Ａ、１５２をガイド部１３０Ａや壁板１５１に取り付けたが、面ファスナー１３１Ａ、１５２はなくてもよい。
実際、ガイド部１３０Ａの内寸と壁板１５１の外寸とがほぼピッタリであれば、壁板１５１は十分に安定する。さらに、ガイド部１３０Ａの高さを少し高めにすればより安定感は増す。
【００３１】
ボックス形態は、５面が断熱材で囲まれているので、その内側の保温性は高い。
例えば、図２に示すように、調理済みの温かい食品５００を保温ボックス１００のなかに並べておけば温かい状態を維持できる。
例えば、調理場で保温ボックス１００をボックス形態に組み立てて、調理済みの食品５００を保温ボックス１００のなかにどんどん並べておけば、前もって作っておいたお弁当なども温かい状態を維持できる。
【００３２】
もちろん、冷たい食品の保冷に使用してもよいことはもちろんである。本明細書の解釈にあたっては、適宜、保温を保冷に読み替えていただきたい。
【００３３】
調理場で作っておいたお弁当５００を店舗の店先や移動販売でお客に販売する場合には、図７のようなカウンターボックス形態にするとよい。
これは、ボックス形態から奥側の壁板１５１、１５１を二枚抜いた状態に相当する。
一時的に上面部１１０Ｂを外し、奥側の二枚の壁板１５１、１５１を取り去る。
なお実際は、上面部１１０Ｂを完全に取り外さなくても、上面部１１０Ｂの奥側だけを少し浮かせれば壁板１５１、１５１を取り去ることができ、作業は簡単である。ボックス形態のまま調理場から店先まで運び、奥側の壁板１５１を取ればよい。
【００３４】
カウンターボックス形態のとき、スライド板１５５はガイド部１３０Ａ、１３０Ｂにガイドされた状態で左右にスライド可能になっている。すなわち、スライド板１５５には面ファスナーが付いていないので、ガイド部１３０Ａ、１３０Ｂを左右にスライドすることができる。
図７を見ていただくと、カウンターボックス（保温ボックス１００）のなかに並べられたお弁当をお店のスタッフが取り出そうとしている。
もし真ん中のお弁当５００を取り出したいときには、スライド板１５５を少し左右にスライドさせればよい。
このスライド板１５５は、上面部１１０Ｂの奥側を支える支持壁としての役割と、店員がカウンターボックス（保温ボックス１００）の内側に一方の手を差し入れるときに他方の手を少し引っ掛ける把持部としての役割もある。
このように、調理場の保温ボックス１００がすぐに接客に利用できるカウンターボックスになるわけである。もちろん、断熱性もあるのでお弁当の温かさを維持できる。
【００３５】
さて、お昼どきの忙しい時間帯を過ぎたら保温ボックス１００は図３のようにコンパクトに収納してしまいたい。
壁板１５１およびスライド板１５５を取り外して、図６に例示するように、４枚の壁板１５１、１５１、１５１、１５１を収納スペースに収納してしまう。そして、上面部１１０Ｂを上から被せる。
このとき、図８に示すように、上面部１１０Ｂのガイド部１３０Ｂと下面部１１０Ａのガイド部１３０Ａとは互い溝にはまりあい、この状態で上面部１１０Ｂは左右前後にズレにくくなる。そして、図３に示すように、上面部１１０Ｂと下面部１１０Ａとの間に壁板１５１、１５１、１５１、１５１を挟み込み、壁板１５１、１５１、１５１、１５１も簡単には抜け落ちないようになっている。
この状態であれば、外観上は厚みのある一枚の板状になっており、収納のためのスペースをほとんど必要としない。また、運搬も楽である。
なお、スライド板１５５は余ることになるが、小さいので邪魔にはならない。
【００３６】
このように本実施形態の保温ボックス１００は、調理場でもカウンターでも必要なときに必要に応じた形態で便利に使える。
【００３７】
（変形例１）
変形例１として、図９に示すように、蓄熱材２１０と一緒に使用することが挙げられる。
あらかじめ蓄熱材２１０を温めておき、蓄熱材２１０を保温ボックス１００の内側に敷いてから、蓄熱材２１０の上に食品を並べるとよい。
これにより、保温時間がかなり長くなる。（もちろん保冷も同じようにできる。）
シート状の蓄熱材であれば、コンパクト形態のときに壁板１５１と一緒に上面部１１０Ｂと下面部１１０Ａとの間に挟んだ状態で収納できてしまうので利便性が高い。
【００３８】
（変形例２）
変形例２として、図１０に例示するように、保温ボックス１００の内側に仕切り板２２０を立てるようにしてもよい。
このように仕切り板２２０をたてて右側と左側とを区分けすると、例えば、左側を保温スペースとし、右側を保冷スペースとするなど、温度が違うものでも同時に保温、保冷することができる。このとき、保温スペースには温めておいた蓄熱材を敷き、保冷スペースには冷やしておいた蓄熱材を敷くようにしてもよい。さらに、前面が開放されているので、ここにカーテン２５０のようなシートを垂らすのもよい。
【００３９】
（変形例３）
変形例３として、図１１に例示するように、保温ボックス１００の仕切り板２２０をペルチエ素子２４０にしてもよい。
上面部１１０Ｂの上部にバッテリー２３０を配置し、バッテリー２３０の電力でペルチエ素子２４０を駆動される。ペルチエ素子２４０により保冷スペースから吸熱し、保温スペースに廃熱する。これにより、保温（保冷）時間がかなり長くなる。
【００４０】
（変形例４）
上記第１実施形態では、コンパクト形態のときにスライド板１５５が余っていた。また、スライド板１５５のサイズが壁板１５１とは異なっていた。
変形例４としては、コンパクト形態のときに余る板がないようにして、総てを一つのコンパクト形態に収納できるようにする。また、５枚の壁板１５１を総て同じサイズにして区別がないようにする。
【００４１】
図１２に変形例３の寸法を例示する。
第１実施形態と同じ寸法については説明を省略する。
平板部１２０Ａの横幅を第１実施形態よりも少し大きくしている。
平板部１２０Ａの横幅を１０９．４０（＝Ｗ２１）とする。すると、平板部１２０Ａの長辺において、両短辺にある二つのガイド部１３０Ａ、１３０Ａの間の距離は１０５．００ｃｍとなる。これをＷ２２と表わすことにする。
【００４２】
特別にスライド板というものはなく、総ての壁板１５１が同じサイズである。
なお、この変形例３では面ファスナーを使用せず、したがって、総ての壁板１５１がスライド板としても機能できる。
この変形例３であれば、図１３に例示するように５枚総ての壁板１５１を収容スペースに収めることができ、保温ボックス１００は一つの「板」のように畳むことができる。
もちろん、奥側の壁板を一枚だけすればカウンターボックス形態にもなる。
【００４３】
なお、本考案は上記実施の形態に限られたものではなく、趣旨を逸脱しない範囲で適宜変更することが可能である。
【符号の説明】
【００４４】
１００…保温ボックス、
１１０Ａ…下面部、１２０Ａ…平板部、１２１Ａ…板、１２２Ａ…ハニカムコア、１２３Ａ…化粧板、
１３０Ａ…ガイド部、１３１Ａ…面ファスナー、
１１０Ｂ…上面部、１３０Ｂ…ガイド部、
１５０…壁部、
１５１…壁板、１５２…面ファスナー、１５５…スライド板、
２１０…蓄熱材、
２２０…仕切り板、
２３０…バッテリー、
２４０…ペルチエ素子、
２５０…カーテン、
５００…弁当。
【図１】
0003205734.tif 000003
【図２】
0003205734.tif 000004
【図３】
0003205734.tif 000005
【図４】
0003205734.tif 000006
【図５】
0003205734.tif 000007
【図６】
0003205734.tif 000008
【図７】
0003205734.tif 000009
【図８】
0003205734.tif 000010
【図９】
0003205734.tif 000011
【図１０】
0003205734.tif 000012
【図１１】
0003205734.tif 000013
【図１２】
0003205734.tif 000014
【図１３】
0003205734.tif 000015